(57)【要約】【課題】高速パケット通信において、多重化するデータユニット（ＭＡＣ-ＰＤＵ）のサイズを示す情報（ＬＩ）に必要なビット数の増加によるオーバヘッドの増加を軽減する。【解決手段】送信機１０が、ＭＡＣレイヤにおいて、ＲＬＣレイヤから受信したＭＡＣ-ＳＤＵを多重化し、ＭＡＣ-ＳＤＵのサイズを示す固定長の「ＬＩ」を含むＭＡＣヘッダを付与して、ＭＡＣ-ＰＤＵを生成するＭＡＣ-ＰＤＵ生成部１２と、生成されたＭＡＣ-ＰＤＵを送信するＭＡＣ-ＰＤＵ送信部１３とを具備し、「ＬＩ」は、ＭＡＣ-ＳＤＵを構成する基本単位を規定する部分と、当該基本単位の倍数としてＭＡＣ-ＳＤＵのサイズを規定する部分とを含む。【選択図】図５
2008172297.tif 000002
【特許請求の範囲】
【請求項１】
第１レイヤにおいて、該第１レイヤの上位レイヤから受信した上位レイヤデータユニットを多重化し、該上位レイヤデータユニットのサイズを示す固定長のサイズ情報を含むヘッダ情報を付与して、第１データユニットを生成する第１データユニット生成部と、
生成された前記第１データユニットを送信する第１データユニット送信部とを具備し、
前記サイズ情報は、前記上位レイヤデータユニットを構成する基本単位を規定する部分と、該基本単位の倍数として前記上位レイヤデータユニットのサイズを規定する部分とを含むことを特徴とする送信機。
【請求項２】
前記基本単位を規定する部分は、前記サイズ情報の最上位ビットであり、
前記上位レイヤデータユニットのサイズを規定する部分は、前記サイズ情報を構成する残りのビットであることを特徴とする請求項１に記載の送信機。
【請求項３】
前記サイズ情報は、１バイトによって構成されていることを特徴とする請求項２に記載の送信機。
【請求項４】
第１レイヤにおいて、該第１レイヤの上位レイヤから受信した上位レイヤデータユニットを多重化し、該上位レイヤデータユニットのサイズを示す固定長のサイズ情報を含むヘッダ情報を付与して、第１データユニットを生成する第１データユニット生成部と、
生成された前記第１データユニットを送信する第１データユニット送信部とを具備し、
前記第１データユニット生成部は、前記サイズ情報と前記上位レイヤデータユニットのサイズとを関連付ける対応表を記憶しており、前記対応表を参照して、前記上位レイヤから受信した上位レイヤデータユニットのサイズに関連付けられている前記サイズ情報を含む前記ヘッダ情報を付与することを特徴とする送信機。
【請求項５】
前記第１レイヤの下位レイヤ又は前記第１レイヤのスケジューラから、前記第１データユニットのサイズを示す第１データユニットサイズ情報を取得する第１データユニットサイズ情報取得部を具備し、
前記第１データユニット生成部は、複数の前記対応表を記憶しており、取得された前記第１データユニットのサイズに応じて、参照する対応表を決定することを特徴とする請求項４に記載の送信機。
【請求項６】
第１レイヤにおいて受信した第１データユニットのヘッダ情報に含まれているサイズ情報に基づいて、該第１データユニットに多重化されている上位レイヤデータユニットのサイズを検出するヘッダ情報解析部と、
検出された前記上位レイヤデータユニットのサイズに基づいて、前記第１データユニットから前記上位レイヤデータユニットを抽出する抽出部とを具備し、
前記サイズ情報は、前記上位レイヤデータユニットを構成する基本単位を規定する部分と、該基本単位の倍数として前記上位レイヤデータユニットのサイズを規定する部分とを含むことを特徴とする受信機。
【請求項７】
前記基本単位を規定する部分は、前記サイズ情報の最上位ビットであり、
前記上位レイヤデータユニットのサイズを規定する部分は、前記サイズ情報を構成する残りのビットであることを特徴とする請求項６に記載の受信機。
【請求項８】
前記サイズ情報は、１バイトによって構成されていることを特徴とする請求項７に記載の受信機。
【請求項９】
第１レイヤにおいて受信した第１データユニットのヘッダ情報に含まれているサイズ情報に基づいて、該第１データユニットに多重化されている上位レイヤデータユニットのサイズを検出するヘッダ情報解析部と、
検出された前記上位レイヤデータユニットのサイズに基づいて、前記第１データユニットから前記上位レイヤデータユニットを抽出する抽出部とを具備し、
前記ヘッダ情報解析部は、前記サイズ情報と前記上位レイヤデータユニットのサイズとを関連付ける対応表を記憶しており、前記対応表を参照して、受信した前記第１データユニットのヘッダ情報に含まれているサイズ情報に関連付けられている該上位レイヤデータユニットのサイズを、該第１データユニットに多重化されている上位レイヤデータユニットのサイズとして検出することを特徴とする受信機。
【請求項１０】
前記第１レイヤの下位レイヤ又は前記第１レイヤのスケジューラから、前記第１データユニットのサイズを示す第１データユニットサイズ情報を取得する第１データユニットサイズ情報取得部を具備し、
前記ヘッダ情報解析部は、複数の前記対応表を記憶しており、取得された前記第１データユニットのサイズに応じて、参照する対応表を決定することを特徴とする請求項９に記載の受信機。
【発明の詳細な説明】
【技術分野】
【０００１】
本発明は、送信機及び受信機に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において規定されている移動通信システムでは、図１に示すように、下り方向において、無線基地局ＮｏｄｅＢ（送信機）が、移動局ＵＥ（受信機）に対して、ＤＣＣＨ（Ｄｅｄｉｃａｔｅｄ  Ｃｏｎｔｒｏｌ  Ｃｈａｎｎｅｌ）や、ＤＴＣＨ（Ｄｅｄｉｃａｔｅｄ  Ｔｒａｆｆｉｃ  Ｃｈａｎｎｅｌ）や、ＣＣＣＨ（Ｃｏｍｍｏｎ  Ｃｏｎｔｒｏｌ  Ｃｈａｎｎｅｌ）等を送信するように構成されている。
【０００３】
また、上り方向においては、移動局ＵＥ（送信機）が、無線基地局ＮｏｄｅＢ（受信機）に対して、ＤＣＣＨや、ＤＴＣＨや、ＣＣＣＨ等を送信するように構成されている。
【０００４】
また、３ＧＰＰで規格されているＭＢＭＳ（Ｍｕｌｔｉｍｅｄｉａ  Ｂｒｏａｄｃａｓｔ/Ｍｕｌｔｉｃａｓｔ  Ｓｅｒｖｉｃｅｓ）用の論理チャネルとして、下り方向において、無線基地局ＮｏｄｅＢ（送信機）が、移動局ＵＥ（受信機）に対して、ＭＴＣＨ（ＭＢＭＳ  Ｔｒａｆｆｉｃ  Ｃｈａｎｎｅｌ）や、ＭＣＣＨ（ＭＢＭＳ  Ｃｏｎｔｒｏｌ  Ｃｈａｎｎｅｌ）を送信するように構成されている。
【０００５】
また、３ＧＰＰで規格されている上り方向の高速パケット通信規格であるＨＳＤＰＡ（Ｈｉｇｈ  Ｓｐｅｅｄ  Ｄｏｗｎｌｉｎｋ  Ｐａｃｋｅｔ  Ａｃｃｅｓｓ）用の物理チャネルとして、下り方向において、無線基地局ＮｏｄｅＢ（送信機）が、移動局ＵＥ（受信機）に対して、ＨＳ-ＳＣＣＨ（Ｈｉｇｈ  Ｓｐｅｅｄ  Ｓｈａｒｅｄ  Ｃｏｎｔｒｏｌ  Ｃｈａｎｎｅｌ）や、ＨＳ-ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）等を送信するように構成されている。
【０００６】
また、ＨＳＤＰＡでは、無線基地局ＮｏｄｅＢ（送信機）が、ＭＡＣ-ｈｓレイヤにおいて、ＭＡＣ-ｄレイヤから受信した１つ又は複数のＭＡＣ-ｄ  ＰＤＵ（Ｐｒｏｔｏｃｏｌ  Ｄａｔａ  Ｕｎｉｔ）を多重化して、ＭＡＣ-ｈｓ  ＰＤＵを生成し、ＨＳ-ＰＤＳＣＨに関連付けられているＨＳ-ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を用いて送信するように構成されている。
【０００７】
ここで、ＭＡＣ-ｈｓ  ＰＤＵに多重化されるＭＡＣ-ｄ  ＰＤＵのサイズは、ＭＡＣ-ｄフロー毎に固定であり、図１５に示すように、無線基地局ＮｏｄｅＢ（送信機）のＭＡＣ-ｈｓレイヤにおいて、ＭＡＣ-ｄフロー毎にＭＡＣ-ｄ  ＰＤＵのサイズを示す「ＳＩＤ（Ｓｉｚｅ  Ｉｎｄｅｘ  Ｉｄｅｎｔｉｆｉｅｒ）」及び当該ＭＡＣ-ｄ  ＰＤＵの個数を示す「Ｎ（Ｎｕｍｂｅｒ  ｏｆ  ＭＡＣ-ｄ  ＰＤＵｓ）を含むＭＡＣヘッダをＭＡＣ-ｈｓ  ＰＤＵに付与するように構成されている。
【非特許文献１】３ＧＰＰ  ＴＳ  ２５．３２１  ｖ７．０．０
【発明の開示】
【発明が解決しようとする課題】
【０００８】
ＬＴＥ（Ｌｏｎｇ  Ｔｅｒｍ  Ｅｖｏｌｕｔｉｏｎ）では、下り方向の伝送速度として１００Ｍｂｐｓ以上の伝送速度を実現し、上り方向の伝送速度として５０Ｍｂｐｓ以上の伝送速度を実現することを目的としている。
【０００９】
ＬＴＥでは、ＨＳＤＰＡとは異なり、ＭＡＣ  ＰＤＵに多重化されるＭＡＣ  ＳＤＵのサイズが、可変長であり、１ＴＴＩ（Ｔｒａｎｓｍｉｓｓｉｏｎ  Ｔｉｍｅ  Ｉｎｔｅｒｖａｌ）当たりのＭＡＣ-ＰＤＵのサイズも大きくなることによって、各ＭＡＣ-ＰＤＵのサイズを示す「ＬＩ」にも十分な長さが要求される。
【００１０】
例えば、１００Ｍｂｐｓで通信を行う場合、１ＴＴＩを１ｍｓとすると、１ＴＴＩ当たり１２５００バイトのパケットが送信されることになり、ＭＡＣ-ＰＤＵのサイズ（長さ）を表現するのに必要な「ＬＩ（Ｌｅｎｇｔｈ  Ｉｎｄｉｃａｔｏｒ）」のビット数は、ＬＩの粒度を1バイトと仮定すると、１４ビット以上となる。
【００１１】
しかしながら、１００Ｍｂｐｓで通信を行う環境は限定的であるため、常に、ＭＡＣヘッダに、１４ビット長の「ＬＩ」が含まれるのは、非効率的であるという問題点があった。
【００１２】
具体的には、セル端のような実効的な伝送レートが１００Ｍｂｐｓよりも低い環境においても、常に先述の１４ビットが、各ＭＡＣ  ＳＤＵに対して必要となるという問題点があった。
【００１３】
そこで、本発明は、上述の課題に鑑みてなされたものであり、高速パケット通信において、多重化するデータユニットのサイズを示す情報に必要なビット数の増加によるオーバヘッドの増加を軽減することを可能とする送信機及び受信機を提供することを目的とする。
【課題を解決するための手段】
【００１４】
本発明の第１の特徴は、送信機であって、第１レイヤにおいて、該第１レイヤの上位レイヤから受信した上位レイヤデータユニットを多重化し、該上位レイヤデータユニットのサイズを示す固定長のサイズ情報を含むヘッダ情報を付与して、第１データユニットを生成する第１データユニット生成部と、生成された前記第１データユニットを送信する第１データユニット送信部とを具備し、前記サイズ情報は、前記上位レイヤデータユニットを構成する基本単位を規定する部分と、該基本単位の倍数として前記上位レイヤデータユニットのサイズを規定する部分とを含むことを要旨とする。
【００１５】
本発明の第１の特徴において、前記基本単位を規定する部分は、前記サイズ情報の最上位ビットであり、前記上位レイヤデータユニットのサイズを規定する部分は、前記サイズ情報を構成する残りのビットであってもよい。
【００１６】
本発明の第１の特徴において、前記サイズ情報は、１バイトによって構成されていてもよい。
【００１７】
本発明の第２の特徴は、送信機であって、第１レイヤにおいて、該第１レイヤの上位レイヤから受信した上位レイヤデータユニットを多重化し、該上位レイヤデータユニットのサイズを示す固定長のサイズ情報を含むヘッダ情報を付与して、第１データユニットを生成する第１データユニット生成部と、生成された前記第１データユニットを送信する第１データユニット送信部とを具備し、前記第１データユニット生成部は、前記サイズ情報と前記上位レイヤデータユニットのサイズとを関連付ける対応表を記憶しており、前記対応表を参照して、前記上位レイヤから受信した上位レイヤデータユニットのサイズに関連付けられている前記サイズ情報を含む前記ヘッダ情報を付与することを要旨とする。
【００１８】
本発明の第２の特徴において、前記第１レイヤの下位レイヤ又は前記第１レイヤのスケジューラから、前記第１データユニットのサイズを示す第１データユニットサイズ情報を取得する第１データユニットサイズ情報取得部を具備し、前記第１データユニット生成部は、複数の前記対応表を記憶しており、取得された前記第１データユニットのサイズに応じて、参照する対応表を決定してもよい。
【００１９】
本発明の第３の特徴は、受信機であって、第１レイヤにおいて受信した第１データユニットのヘッダ情報に含まれているサイズ情報に基づいて、該第１データユニットに多重化されている上位レイヤデータユニットのサイズを検出するヘッダ情報解析部と、検出された前記上位レイヤデータユニットのサイズに基づいて、前記第１データユニットから前記上位レイヤデータユニットを抽出する抽出部とを具備し、前記サイズ情報は、前記上位レイヤデータユニットを構成する基本単位を規定する部分と、該基本単位の倍数として前記上位レイヤデータユニットのサイズを規定する部分とを含むことを要旨とする。
【００２０】
本発明の第３の特徴において、前記基本単位を規定する部分は、前記サイズ情報の最上位ビットであり、前記上位レイヤデータユニットのサイズを規定する部分は、前記サイズ情報を構成する残りのビットであってもよい。
【００２１】
本発明の第３の特徴において、前記サイズ情報は、１バイトによって構成されていてもよい。
【００２２】
本発明の第４の特徴は、受信機であって、第１レイヤにおいて受信した第１データユニットのヘッダ情報に含まれているサイズ情報に基づいて、該第１データユニットに多重化されている上位レイヤデータユニットのサイズを検出するヘッダ情報解析部と、検出された前記上位レイヤデータユニットのサイズに基づいて、前記第１データユニットから前記上位レイヤデータユニットを抽出する抽出部とを具備し、前記ヘッダ情報解析部は、前記サイズ情報と前記上位レイヤデータユニットのサイズとを関連付ける対応表を記憶しており、前記対応表を参照して、受信した前記第１データユニットのヘッダ情報に含まれているサイズ情報に関連付けられている該上位レイヤデータユニットのサイズを、該第１データユニットに多重化されている上位レイヤデータユニットのサイズとして検出することを要旨とする。
【００２３】
本発明の第４の特徴において、前記第１レイヤの下位レイヤ又は前記第１レイヤのスケジューラから、前記第１データユニットのサイズを示す第１データユニットサイズ情報を取得する第１データユニットサイズ情報取得部を具備し、前記ヘッダ情報解析部は、複数の前記対応表を記憶しており、取得された前記第１データユニットのサイズに応じて、参照する対応表を決定してもよい。
【発明の効果】
【００２４】
以上説明したように、本発明によれば、高速パケット通信において、多重化するデータユニットのサイズを示す情報に必要なビット数の増加によるオーバヘッドの増加を軽減することを可能とする送信機及び受信機を提供することができる。
【発明を実施するための最良の形態】
【００２５】
（本発明の第１の実施形態に係る移動通信システムの構成）
図１乃至図６を参照して、本発明の第１の実施形態に係る送信機１０及び受信機３０を具備する移動通信システムの構成について説明する。本実施形態に係る移動通信システムの構成は、ＬＴＥによって規格されているものとする。
【００２６】
ここで、無線基地局ｅＮｏｄｅＢが、本実施形態に係る送信機１０であり、移動局ＵＥが、本実施形態に係る受信機３０であってもよいし、無線基地局ｅＮｏｄｅＢが、本実施形態に係る受信機３０であり、移動局ＵＥが、本実施形態に係る送信機１０であってもよい。
【００２７】
図２に示すように、送信機１０は、ＭＡＣ（Ｍｅｄｉｕｍ  Ａｃｃｅｓｓ  Ｃｏｎｔｒｏｌ）レイヤ（第１レイヤ）機能として、ＭＡＣ-ＳＤＵ（Ｓｅｒｖｉｃｅ  Ｄａｔａ  Ｕｎｉｔ）受信部１１と、ＭＡＣ-ＰＤＵ生成部１２と、ＭＡＣ-ＰＤＵ送信部１３とを具備している。
【００２８】
ＭＡＣ-ＳＤＵ受信部１１は、ＲＬＣ（Ｒａｄｉｏ  Ｌｉｎｋ  Ｃｏｎｔｒｏｌ）レイヤ（ＭＡＣレイヤの上位レイヤ）からＭＡＣ-ＳＤＵ（上位レイヤデータユニット）を受信するように構成されている（図３参照）。
【００２９】
ＭＡＣ-ＰＤＵ生成部１２は、ＭＡＣレイヤにおいて、ＲＬＣレイヤから受信したＭＡＣ-ＳＤＵとＭＡＣコントロールブロック（制御情報）とＰａｄｄｉｎｇ（パディング情報）のいずれかである情報要素を多重して、ＭＡＣ-ＰＤＵを生成するように構成されている。
【００３０】
また、ＭＡＣ-ＰＤＵ生成部１２は、ＭＡＣ-ＰＤＵに複数のＭＡＣ-ＳＤＵを多重化する場合、かかる複数のＭＡＣ-ＳＤＵのサイズを示す固定長の「ＬＩ（サイズ情報）」を含むＭＡＣヘッダ（ヘッダ情報）を付与するように構成されている（図４（ａ）参照）。
【００３１】
図４（ａ）に示す例では、ＭＡＣ-ＰＤＵ生成部１２は、ＭＡＣ-ＰＤＵに、２つのＭＡＣ-ＳＤＵ（ＭＡＣ-ＳＤＵ＃１及びＭＡＣ-ＳＤＵ＃２）を多重化する場合、ＭＡＣヘッダ内に、１つの「ＬＩ」を含めるように構成されている。
【００３２】
すなわち、図４（ａ）に示す例では、ヘッダ情報に含まれる「ＬＩ」の数（＝１）は、多重化されているＭＡＣ-ＳＤＵの数（＝２）よりも１つ少ない。なお、ＭＡＣ-ＳＤＵ、ＭＡＣコントロールブロック、Ｐａｄｄｉｎｇのサイズは、可変であるものとする。
【００３３】
なお、ＭＡＣ-ＰＤＵ生成部１２は、ＭＡＣ-ＰＤＵに、１つのＭＡＣ-ＳＤＵのみを多重化する場合、ＭＡＣヘッダ内に「ＬＩ」を含めないように構成されていてもよい。
【００３４】
図４（ａ）に示すＭＡＣ-ＰＤＵのフォーマット例では、ＭＡＣヘッダ内に、「Ｃ/Ｔ」１０１と「Ｅ」１０２とからなる組と、「ＬＩ」１０３と「Ｃ/Ｔ」１０４と「Ｅ」１０５とからなる組とが含まれている。
【００３５】
ここで、「Ｃ/Ｔ」は、ＭＡＣ-ＰＤＵに多重化されているＭＡＣ-ＳＤＵに対応する論理チャネルやＭＡＣコントロールブロックやＰａｄｄｉｎｇを識別するための情報である。
【００３６】
また、「Ｅ」は、当該「Ｅ」がＭＡＣヘッダの最後であるか否かについて示す情報である。
【００３７】
例えば、「Ｅ」が、「０」である場合、当該「Ｅ」は、ＭＡＣヘッダの最後であり、当該「Ｅ」には、ＭＡＣ-ＳＤＵやＭＡＣコントロールブロックやＰａｄｄｉｎｇのいずれかが後続することを示す。
【００３８】
一方、「Ｅ」が、「１」である場合、当該「Ｅ」は、ＭＡＣヘッダの最後ではなく、当該「Ｅ」には、「ＬＩ」と「Ｃ/Ｔ」と「Ｅ」とからなる組が後続することを示す。
【００３９】
また、「ＬＩ」は、ＭＡＣ-ＰＤＵに多重化されているＭＡＣ-ＳＤＵのサイズ（ＭＡＣ-ＳＤＵ長）を示すサイズ情報である。
【００４０】
具体的には、「ＬＩ」は、図５に示すように、ＭＡＣ-ＳＤＵを構成する基本単位を規定する部分Ａと、かかる基本単位の倍数としてＭＡＣ-ＳＤＵのサイズ（ＭＡＣ-ＳＤＵ長）を規定する部分Ｂとを含む。
【００４１】
図５に示す例では、上述の基本単位を規定する部分Ａは、「ＬＩ」の最上位ビットであり、ＭＡＣ-ＳＤＵのサイズを規定する部分Ｂは、「ＬＩ」を構成する残りのビットである。
【００４２】
なお、図５に示す例では、「ＬＩ」は、１バイトによって構成されているため、「ＬＩ」の最上位ビットを除く７ビットによって、ＭＡＣ-ＳＤＵのサイズを規定するように構成されている。
【００４３】
図５に示す例では、部分Ａ（すなわち、「ＬＩ」の最上位ビット）が、「０」である場合、上述の基本単位（粒度）が、１バイトであるため、「ＬＩ」が、残りの７ビットによって、０〜１２７バイトまで、１バイト単位で、ＭＡＣ-ＳＤＵのサイズを規定することができる。
【００４４】
一方、部分Ａ（すなわち、「ＬＩ」の最上位ビット）が、「１」である場合、上述の基本単位（粒度）は、１２８バイトであるため、「ＬＩ」が、残りの７ビットによって、１２８〜１６３８４バイトまで、１２８バイト単位で、ＭＡＣ-ＳＤＵのサイズを規定することができる。
【００４５】
かかる基本単位は、１バイト及び１２８バイトの組み合わせに限定されるものではなく、それ以外の組み合わせであってもよい。
【００４６】
図４（ａ）に示す例では、「Ｃ/Ｔ」１０１は、当該ＭＡＣ-ＰＤＵに多重化されているＭＡＣ-ＳＤＵ＃１に対応する論理チャネルを識別するための情報であり、「Ｅ」１０２は、当該「Ｅ」１０２が、ＭＡＣヘッダの最後ではないことを示す。
【００４７】
また、「ＬＩ」１０３は、ＭＡＣ-ＳＤＵ＃１又はＭＡＣ-ＳＤＵ＃２のサイズを示す情報である。
【００４８】
また、「Ｃ/Ｔ」１０４は、当該ＭＡＣ-ＰＤＵに多重化されているＭＡＣ-ＳＤＵ＃２に対応する論理チャネルを識別するための情報であり、「Ｅ」１０５は、当該「Ｅ」１０５が、ＭＡＣヘッダの最後であることを示す。
【００４９】
なお、ＭＡＣ-ＰＤＵ生成部１２は、ＭＡＣ-ＰＤＵに１つのＭＡＣ-ＳＤＵを多重化する場合であっても、図４（ｂ）に示すように、かかるＭＡＣ-ＳＤＵのサイズを示す固定長の「ＬＩ」を含むＭＡＣヘッダ（ヘッダ情報）を付与するように構成されていてもよい。
【００５０】
ＭＡＣ-ＰＤＵ送信部１３は、ＭＡＣ-ＰＤＵ生成部１２により生成されたＭＡＣ-ＰＤＵを、１つのトランスポートブロックとして物理レイヤに送信するように構成されている（図３参照）。
【００５１】
図６に示すように、受信機３０は、ＭＡＣレイヤ機能として、ＭＡＣ-ＰＤＵ受信部３１と、ＭＡＣ-ＰＤＵサイズ情報取得部３２と、ＭＡＣヘッダ解析部３３と、ＭＡＣ-ＳＤＵ送信部３４とを具備している。
【００５２】
ＭＡＣ-ＰＤＵ受信部３１は、送信機１０によって送信されたＭＡＣ-ＰＤＵを、物理レイヤを介して受信するように構成されている（図３参照）。
【００５３】
ＭＡＣ-ＰＤＵサイズ情報取得部３２は、ＭＡＣ-ＰＤＵのサイズを示すＭＡＣ-ＰＤＵサイズ情報を取得するように構成されている。
【００５４】
例えば、受信機３０が、下り方向のデータを受信する移動局ＵＥであると想定した場合、物理レイヤから、ＭＡＣ-ＰＤＵのサイズを示すＭＡＣ-ＰＤＵサイズ情報を取得するように構成されている。
【００５５】
かかる場合、移動局ＵＥのＭＡＣ-ＰＤＵサイズ情報取得部３２は、物理レイヤを介して、無線基地局ｅＮｏｄｅＢから送信されたＬ１/Ｌ２制御チャネル（ＭＡＣ-ＰＤＵサイズ情報）によって、ＭＡＣ-ＰＤＵのサイズと等価であるトランスポートブロックサイズを通知されるように構成されている。
【００５６】
また、受信機３０が、上り方向のデータを送信する無線基地局ｅＮｏｄｅＢであると想定した場合、ＭＡＣレイヤ機能であるスケジューラから、ＭＡＣ-ＰＤＵのサイズを示すＭＡＣ-ＰＤＵサイズ情報を取得するように構成されている。
【００５７】
或いは、無線基地局ｅＮｏｄｅＢのＭＡＣ-ＰＤＵサイズ情報取得部３２は、物理レイヤを介して、移動局ＵＥから送信されたＬ１/Ｌ２制御チャネル（ＭＡＣ-ＰＤＵサイズ情報）によって、ＭＡＣ-ＰＤＵのサイズと等価であるトランスポートブロックサイズを通知されるように構成されていてもよい。
【００５８】
ＭＡＣヘッダ解析部３３は、ＭＡＣレイヤにおいて受信したＭＡＣ-ＰＤＵのＭＡＣヘッダに含まれている「ＬＩ（サイズ情報）」及びＭＡＣ-ＰＤＵサイズ情報取得部３２により取得されたＭＡＣ-ＰＤＵサイズ情報に基づいて、ＭＡＣ-ＰＤＵに多重化されている情報要素（ＭＡＣ-ＳＤＵ、ＭＡＣコントロールブロック、Ｐａｄｄｉｎｇ）のサイズを検出するように構成されている。
【００５９】
ここで、ＭＡＣヘッダ解析部３３は、「ＬＩ」の部分Ａ（最上位ビット）によって指定されている基本単位に基づいて、上述の情報要素のサイズを決定するように構成されている。
【００６０】
例えば、部分Ａ（すなわち、「ＬＩ」の最上位ビット）が、「０」である場合、上述の基本単位（粒度）が、１バイトであるため、ＭＡＣヘッダ解析部３３は、「ＬＩ」の残りの７ビットによって、０〜１２７バイトまでの１バイト単位で、ＭＡＣ-ＳＤＵのサイズを検出することができる。
【００６１】
一方、部分Ａ（すなわち、「ＬＩ」の最上位ビット）が、「１」である場合、上述の基本単位（粒度）は、１２８バイトであるため、ＭＡＣヘッダ解析部３３は、「ＬＩ」の残りの７ビットによって、１２８〜１６３８４バイトまでの１２８バイト単位で、ＭＡＣ-ＳＤＵのサイズを検出することができる。
【００６２】
なお、ＭＡＣ-ＰＤＵ受信部３１により受信されたＭＡＣ-ＰＤＵのＭＡＣヘッダに「ＬＩ」が含まれていない場合、ＭＡＣヘッダ解析部３３は、ＭＡＣ-ＰＤＵサイズ情報取得部３２により取得されたＭＡＣ-ＰＤＵサイズ情報によって示されているＭＡＣ-ＰＤＵのサイズ及びＭＡＣヘッダのサイズに基づいて、ＭＡＣ-ＰＤＵに多重化されている情報要素（ＭＡＣ-ＰＤＵ、ＭＡＣコントロールブロック又はＰａｄｄｉｎｇ）のサイズを検出することができる。
【００６３】
かかる場合、具体的には、ＭＡＣヘッダ解析部３３は、上述のＭＡＣ-ＰＤＵのサイズから上述のＭＡＣヘッダのサイズを引いた値を、ＭＡＣ-ＰＤＵに多重化されている情報要素のサイズであるものとする。
【００６４】
ＭＡＣ-ＳＤＵ送信部３４は、ＭＡＣヘッダ解析部３３によって検出された情報要素のサイズに基づいて、ＭＡＣ-ＰＤＵから当該情報要素を抽出するように構成されている。
【００６５】
なお、ＭＡＣ-ＳＤＵ送信部３４は、抽出したＭＡＣ-ＳＤＵを、ＲＬＣレイヤに対して送信するように構成されている。
【００６６】
（本発明の第１の実施形態に係る移動通信システムの動作）
図７及び図８を参照して、本発明の第１の実施形態に係る移動通信システムの動作について説明する。
【００６７】
第１に、図７を参照して、本実施形態に係る送信機１０の動作について説明する。
【００６８】
図７に示すように、ステップＳ１０１において、送信機１０のＭＡＣレイヤ機能が、受信機３０に対して送信すべきＭＡＣ-ＳＤＵのサイズ（ＭＡＣ-ＳＤＵ長）が、１２８バイトよりも大きいか否かについてについて判定する。
【００６９】
１２８バイトよりも大きいと判定した場合、ステップＳ１０２において、送信機１０のＭＡＣレイヤ機能が、「ＬＩ」の最上位ビットを「１」と設定して、「ＬＩ」の残りの７ビットによって、かかる場合の基本単位である１２８バイトの倍数として、ＭＡＣ-ＳＤＵ長を規定する。
【００７０】
１２８バイト以下であると判定した場合、ステップＳ１０３において、送信機１０のＭＡＣレイヤ機能が、「ＬＩ」の最上位ビットを「０」と設定して、「ＬＩ」の残りの７ビットによって、かかる場合の基本単位である１バイトの倍数として、ＭＡＣ-ＳＤＵ長を規定する。
【００７１】
ステップＳ１０４において、送信機１０のＭＡＣレイヤ機能が、送信機１０のＲＬＣレイヤから、受信機３０に対して送信すべきＭＡＣ-ＳＤＵを受信する。
【００７２】
送信機１０のＭＡＣレイヤ機能が、ステップＳ１０５において、生成されたＭＡＣヘッダが付与されたＭＡＣ-ＰＤＵを生成し、ステップＳ１０６において、送信機１０の物理レイヤを介して、生成されたＭＡＣ-ＰＤＵを受信機３０に対して送信する。
【００７３】
第２に、図８を参照して、本実施形態に係る受信機３０の動作について説明する。
【００７４】
図８に示すように、ステップＳ２０１において、受信機３０のＭＡＣレイヤ機能が、受信機３０の物理レイヤを介して受信したＭＡＣ-ＰＤＵに付与されているＭＡＣヘッダ内の「ＬＩ」の最上位ビットが「０」又は「１」のどちらであるかについて判定する。
【００７５】
「ＬＩ」の最上位ビットが「０」であると判定された場合、ステップＳ２０２において、受信機３０のＭＡＣレイヤ機能が、当該「ＬＩ」に対応する「Ｃ/Ｔ」によって識別された情報要素（例えば、ＭＡＣ-ＳＤＵ）のサイズが、かかる場合の基本単位である１バイトの倍数として規定されているものと認識する。
【００７６】
一方、「ＬＩ」の最上位ビットが「１」であると判定された場合、ステップＳ２０３において、受信機３０のＭＡＣレイヤ機能が、当該「ＬＩ」に対応する「Ｃ/Ｔ」によって識別された情報要素（例えば、ＭＡＣ-ＳＤＵ）のサイズが、かかる場合の基本単位である１２８バイトの倍数として規定されているものと認識する。
【００７７】
ステップＳ２０４において、受信機３０のＭＡＣレイヤ機能が、認識した情報要素のサイズに基づいて、識別した情報要素（例えば、ＭＡＣ-ＳＤＵ）を取得する。
【００７８】
（本発明の第１の実施形態に係る移動通信システムの作用・効果）
本発明の第１の実施形態に係る移動通信システムによれば、ＭＡＣヘッダに含まれる「ＬＩ」によって規定される情報要素のサイズの基本単位を変更することができるため、「ＬＩ」のビット数を増加させることなく、多重化するＭＡＣ-ＰＤＵのサイズを大きくすることができる。
【００７９】
（本発明の第２の実施形態に係る移動通信システム）
図９乃至図１１を参照して、本発明の第２の実施形態に係る送信機１０及び受信機３０を具備する移動通信システムについて、上述の第１の実施形態に係る送信機１０及び受信機３０を具備する移動通信システムとの相違点に着目して説明する。
【００８０】
図９に示すように、送信機１０のＭＡＣ-ＰＤＵ生成部１２は、８ビット長の「ＬＩ」と、ＭＡＣ-ＳＤＵのサイズとを関連付けるＭＡＣ-ＳＤＵ長テーブル（対応表）を記憶するように構成されている。
【００８１】
そして、ＭＡＣ-ＰＤＵ生成部１２は、上述のＭＡＣ-ＳＤＵ長テーブルを参照して、ＲＬＣレイヤから受信したＭＡＣ-ＳＤＵのサイズに関連付けられている「ＬＩ」を含むＭＡＣヘッダを、多重化されているＭＡＣ-ＳＤＵに対して付与するように構成されている。
【００８２】
また、受信機３０のヘッダ情報解析部３３も、送信機１０のＭＡＣ-ＰＤＵ生成部１２と同様に、図９に示すＭＡＣ-ＳＤＵ長テーブル（対応表）を記憶するように構成されている。
【００８３】
そして、ヘッダ情報解析部３３は、上述のＭＡＣ-ＳＤＵ長テーブルを参照して、受信機３０の物理レイヤを介して受信したＭＡＣ-ＰＤＵのＭＡＣヘッダに含まれている「ＬＩ」に関連付けられているＭＡＣ-ＳＤＵのサイズを、当該ＭＡＣ-ＰＤＵに多重化されているＭＡＣ-ＳＤＵのサイズとして検出するように構成されている。
【００８４】
例えば、図９に示すように、ＭＡＣ-ＳＤＵ長テーブルにおいて、「ＬＩ」の値が「００００００００」〜「００００１１１１」である場合、「ＬＩ」の値が変化するにつれて、ＭＡＣ-ＳＤＵ長が１バイト単位で変化するように設定し、「ＬＩ」の値が「０００１００００」〜「１１１１１１１１」である場合、「ＬＩ」の値が変化するにつれて、ＭＡＣ-ＳＤＵ長が１２８バイト単位で変化するように設定してもよい。
【００８５】
また、「ＬＩ」の値が変化した場合のＭＡＣ-ＳＤＵ長の変化の単位（変化の幅）については、「ＬＩ」の値に応じて自由に設定することができる。
【００８６】
次に、図１０及び図１１を参照して、本発明の第２の実施形態に係る移動通信システムの動作について説明する。
【００８７】
第１に、図１０を参照して、本実施形態に係る送信機１０の動作について説明する。
【００８８】
図１０に示すように、送信機１０のＭＡＣレイヤ機能が、ステップＳ３０１において、ＭＡＣ-ＳＤＵ長テーブルの中から、受信機３０に対して送信すべきＭＡＣ-ＳＤＵのサイズ（ＭＡＣ-ＳＤＵ長）として適切なＭＡＣ-ＳＤＵのサイズを抽出し、ステップＳ３０２において、ＭＡＣ-ＳＤＵ長テーブルを参照して、抽出したＭＡＣ-ＳＤＵのサイズに対応する「ＬＩ」を抽出する。
【００８９】
ステップＳ３０３において、送信機１０のＭＡＣレイヤ機能が、送信機１０のＲＬＣレイヤから、受信機３０に対して送信すべきＭＡＣ-ＳＤＵを受信する。
【００９０】
ＭＡＣレイヤ機能が、ステップＳ３０４において、抽出された「ＬＩ」を含むＭＡＣヘッダが付与されたＭＡＣ-ＰＤＵを生成し、ステップＳ３０５において、送信機１０の物理レイヤを介して、生成されたＭＡＣ-ＰＤＵを受信機３０に対して送信する。
【００９１】
第２に、図１１を参照して、本実施形態に係る受信機３０の動作について説明する。
【００９２】
図１１に示すように、ステップＳ４０１において、受信機３０のＭＡＣレイヤ機能が、受信機３０の物理レイヤを介して、送信機１０から送信されたＭＡＣ-ＰＤＵを受信する。
【００９３】
ステップＳ４０２において、受信機３０のＭＡＣレイヤ機能が、ＭＡＣ-ＳＤＵ長テーブルの中から、受信したＭＡＣ-ＰＤＵに付与されているＭＡＣヘッダ内の「ＬＩ」に関連付けられているＭＡＣ-ＳＤＵのサイズを抽出する。
【００９４】
ステップＳ４０３において、受信機３０のＭＡＣレイヤ機能が、抽出したＭＡＣ-ＳＤＵのサイズに基づいて、ＭＡＣヘッダ内の「Ｃ/Ｔ」により識別されたＭＡＣ-ＳＤＵを取得する。
【００９５】
本発明の第２の実施形態に係る移動通信システムによれば、ＭＡＣ-ＳＤＵ長テーブルにおけるＭＡＣ-ＳＤＵ長の変化幅を変更することができるため、「ＬＩ」のビット数を増加させることなく、多重化するＭＡＣ-ＰＤＵのサイズを大きくすることができる。
【００９６】
（本発明の第３の実施形態に係る移動通信システム）
図１２乃至図１４を参照して、本発明の第３の実施形態に係る送信機１０及び受信機３０を具備する移動通信システムについて、上述の第２の実施形態に係る送信機１０及び受信機３０を具備する移動通信システムとの相違点に着目して説明する。
【００９７】
図１２に示すように、本実施形態に係る送信機１０は、上述の第１及び第2の実施形態に係る送信機１０の構成に加えて、ＭＡＣ-ＰＤＵサイズ情報取得部１４を具備するように構成されている。
【００９８】
ＭＡＣ-ＰＤＵサイズ情報取得部１４は、受信機３０のＭＡＣ-ＰＤＵサイズ情報取得部３２と同様に、ＭＡＣ-ＰＤＵのサイズを示すＭＡＣ-ＰＤＵサイズ情報を取得するように構成されている。
【００９９】
例えば、送信機１０が、上り方向のデータを送信する移動局ＵＥであると想定した場合、ＭＡＣ-ＰＤＵサイズ情報取得部１４は、物理レイヤ（ＭＡＣレイヤの下位レイヤ）から、ＭＡＣ-ＰＤＵのサイズを示すＭＡＣ-ＰＤＵサイズ情報を取得するように構成されている。
【０１００】
かかる場合、移動局ＵＥのＭＡＣ-ＰＤＵサイズ情報取得部１４は、物理レイヤを介して、無線基地局ｅＮｏｄｅＢから送信されたＬ１/Ｌ２制御チャネル（ＭＡＣ-ＰＤＵサイズ情報）によって、ＭＡＣ-ＰＤＵのサイズと等価であるトランスポートブロックサイズを通知されるように構成されている。
【０１０１】
或いは、移動局ＵＥのＭＡＣ-ＰＤＵサイズ情報取得部１４は、物理レイヤを介して、無線基地局ｅＮｏｄｅＢから送信されたＬ１/Ｌ２制御チャネル（ＭＡＣ-ＰＤＵサイズ情報）によって通知された値より小さい範囲で、ＭＡＣ-ＰＤＵのサイズと等価であるトランスポートブロックサイズを決定するように構成されてもよい。
【０１０２】
また、送信機１０が、下り方向のデータを送信する無線基地局ｅＮｏｄｅＢであると想定した場合、ＭＡＣ-ＰＤＵサイズ情報取得部１４は、ＭＡＣレイヤ機能であるスケジューラから、ＭＡＣ-ＰＤＵのサイズを示すＭＡＣ-ＰＤＵサイズ情報を取得するように構成されている。
【０１０３】
また、ＭＡＣ-ＰＤＵ生成部１２は、複数のＭＡＣ-ＳＤＵ長テーブル（対応表）を記憶しており、ＭＡＣ-ＰＤＵサイズ情報取得部１４により取得されたＭＡＣ-ＰＤＵのサイズ（トランスポートブロックサイズ）に応じて、参照するＭＡＣ-ＳＤＵ長テーブルを決定するように構成されている。
【０１０４】
ここで、複数のＭＡＣ-ＳＤＵ長テーブルの各々は、各ＭＡＣ-ＰＤＵのサイズに対応するように設定されていてもよい。
【０１０５】
また、受信機３０のヘッダ情報解析部３３も、ＭＡＣ-ＰＤＵ生成部１２と同様に、複数のＭＡＣ-ＳＤＵ長テーブルを記憶しており、ＭＡＣ-ＰＤＵサイズ情報取得部３２によって取得されたＭＡＣ-ＰＤＵのサイズに応じて、参照するＭＡＣ-ＳＤＵ長テーブルを決定するように構成されている。
【０１０６】
なお、ヘッダ情報解析部３３によって記憶されている複数のＭＡＣ-ＳＤＵ長テーブルは、ＭＡＣ-ＰＤＵ生成部１２によって記憶されている複数のＭＡＣ-ＳＤＵ長テーブルに対応するものとする。
【０１０７】
次に、図１３及び図１４を参照して、本発明の第３の実施形態に係る移動通信システムの動作について説明する。
【０１０８】
第１に、図１３を参照して、本実施形態に係る送信機１０の動作について説明する。
【０１０９】
図１３に示すように、ステップＳ５０１において、送信機１０のＭＡＣレイヤ機能が、物理レイヤ又はスケジューラから通知されたＭＡＣ-ＰＤＵのサイズ（ＴＢＳ：トランスポートブロックサイズ）に対応するＭＡＣ-ＳＤＵ長テーブルを選択する。
【０１１０】
ＭＡＣレイヤ機能が、ステップＳ５０２において、選択されたＭＡＣ-ＳＤＵ長テーブルの中から、受信機３０に対して送信すべきＭＡＣ-ＳＤＵのサイズ（ＭＡＣ-ＳＤＵ長）として適したＭＡＣ-ＳＤＵのサイズを抽出し、ステップＳ５０３において、ＭＡＣ-ＳＤＵ長テーブルを参照して、抽出したＭＡＣ-ＳＤＵのサイズに対応する「ＬＩ」を抽出する。
【０１１１】
ステップＳ５０４において、送信機１０のＭＡＣレイヤ機能が、送信機１０のＲＬＣレイヤから、受信機３０に対して送信すべきＭＡＣ-ＳＤＵを受信する。
【０１１２】
ＭＡＣレイヤ機能が、ステップＳ５０５において、抽出された「ＬＩ」を含むＭＡＣヘッダが付与されたＭＡＣ-ＰＤＵを生成し、ステップＳ５０６において、送信機１０の物理レイヤを介して、生成されたＭＡＣ-ＰＤＵを受信機３０に対して送信する。
【０１１３】
第２に、図１４を参照して、本実施形態に係る受信機３０の動作について説明する。
【０１１４】
図１４に示すように、ステップＳ６０１において、受信機３０のＭＡＣレイヤ機能が、受信機３０の物理レイヤを介して、送信機１０から送信されたＭＡＣ-ＰＤＵを受信する。
【０１１５】
ステップＳ６０２において、受信機３０のＭＡＣレイヤ機能が、受信したＭＡＣ-ＰＤＵのサイズに対応するＭＡＣ-ＳＤＵ長テーブルを選択する。ここで、受信したＭＡＣ-ＰＤＵのサイズは、物理レイヤから通知されるものとする。
【０１１６】
ステップＳ６０３において、受信機３０のＭＡＣレイヤ機能が、選択されたＭＡＣ-ＳＤＵ長テーブルの中から、受信したＭＡＣ-ＰＤＵに付与されているＭＡＣヘッダ内の「ＬＩ」に関連付けられているＭＡＣ-ＳＤＵのサイズを抽出する。
【０１１７】
ステップＳ６０４において、受信機３０のＭＡＣレイヤ機能が、抽出したＭＡＣ-ＳＤＵのサイズに基づいて、ＭＡＣヘッダ内の「Ｃ/Ｔ」により識別されたＭＡＣ-ＳＤＵを取得する。
【０１１８】
本発明の第３の実施形態に係る移動通信システムによれば、ＭＡＣ-ＳＤＵ長テーブルにおけるＭＡＣ-ＳＤＵ長の変化幅を変更することができるため、「ＬＩ」のビット数を増加させることなく、多重化するＭＡＣ-ＰＤＵのサイズを大きくすることができる。
【０１１９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１２０】
【図１】本発明の第１の実施形態に係る移動通信システムの全体構成図である。
【図２】本発明の第１の実施形態に係る送信機の機能ブロック図である。
【図３】本発明の第１の実施形態に係る移動通信システムにおけるプロトコルスタックを示す図である。
【図４】本発明の第１の実施形態に係る送信機によって送信されるＭＡＣ-ＰＤＵのフォーマットの一例を示す図である。
【図５】本発明の第１の実施形態に係る送信機によって送信されるＭＡＣ-ＰＤＵのＭＡＣヘッダに含まれる「ＬＩ」によってＭＡＣ-ＳＤＵ長を表現する方法の一例を示す図である。
【図６】本発明の第１の実施形態に係る受信機の機能ブロック図である。
【図７】本発明の第１の実施形態に係る送信機の動作を示すフローチャートである。
【図８】本発明の第１の実施形態に係る受信機の動作を示すフローチャートである。
【図９】本発明の第２の実施形態に係る送信機及び受信機によって用いられるＭＡＣ-ＳＤＵ長テーブルの一例を示す図である。
【図１０】本発明の第２の実施形態に係る送信機の動作を示すフローチャートである。
【図１１】本発明の第２の実施形態に係る受信機の動作を示すフローチャートである。
【図１２】本発明の第３の実施形態に係る送信機の機能ブロック図である。
【図１３】本発明の第３の実施形態に係る送信機の動作を示すフローチャートである。
【図１４】本発明の第３の実施形態に係る受信機の動作を示すフローチャートである。
【図１５】ＨＳＤＰＡにおいて使用されるＭＡＣ-ｈｓ  ＰＤＵのフォーマットの一例を示す図である。
【符号の説明】
【０１２１】
１０…送信機
１１…ＭＡＣ-ＳＤＵ受信部
１２…ＭＡＣ-ＰＤＵ生成部
１３…ＭＡＣ-ＰＤＵ送信部
１４…ＭＡＣ-ＰＤＵサイズ情報取得部
３０…受信機
３１…ＭＡＣ-ＰＤＵ受信部
３２…ＭＡＣ-ＰＤＵサイズ情報取得部
３３…ＭＡＣヘッダ解析部
３４…ＭＡＣ-ＳＤＵ送信部
【図１】
2008172297.tif 000003
【図２】
2008172297.tif 000004
【図３】
2008172297.tif 000005
【図４】
2008172297.tif 000006
【図５】
2008172297.tif 000007
【図６】
2008172297.tif 000008
【図７】
2008172297.tif 000009
【図８】
2008172297.tif 000010
【図９】
2008172297.tif 000011
【図１０】
2008172297.tif 000012
【図１１】
2008172297.tif 000013
【図１２】
2008172297.tif 000014
【図１３】
2008172297.tif 000015
【図１４】
2008172297.tif 000016
【図１５】
2008172297.tif 000017